(57)【要約】【課題】  給湯器等で予め所望の設定温度に調節された湯を吐水管又はシャワーヘッドから吐水することのできる給水栓において、使用者はハンドルの操作を誤ることがなく、使用者の所望する方向から確実に吐水することができる給水栓を提供する。【解決手段】  給水源から供給された水と、給湯器等で予め設定温度に調節された湯とが供給され、水，湯を外部へ吐水する吐水管８とシャワーヘッド１０とを備えた水栓１において、複数個の弁装置１１が収容された水栓本体２と、該水栓本体２に設けられ、弁装置１１と連繋したハンドル２８，２８ａとを備えており、前記各弁装置１１，１１と連繋したそれぞれのハンドル２８，２８ａを操作することで、吐水管８側での吐止水操作と、シャワーヘッド１０側での吐止水操作とをそれぞれ行えるようにした。【選択図】  図２
2005133406.tif 000002
【特許請求の範囲】
【請求項１】
給水源から供給された水と、給湯器等で予め設定温度に調節された湯とが供給され、水，湯を外部へ吐水する吐水管とシャワーヘッドとを備えた水栓において、複数個の弁装置が収容された水栓本体と、該水栓本体に設けられ、弁装置と連繋したハンドルとを備えており、前記各弁装置と連繋したそれぞれのハンドルを操作することで、吐水管側での吐止水操作と、シャワーヘッド側での吐止水操作とをそれぞれ行えるようにしたことを特徴とする水栓。
【発明の詳細な説明】
【技術分野】
【０００１】
本発明は、給湯器等で予め温度調節された湯を供給することのできる水栓に関する。
【背景技術】
【０００２】
従来、浴室，流し台，洗面台等に設置され、給湯器等で予め所望の設定温度に調節された湯水を供給し、ハンドルを操作することで、吐水される湯水の方向を切り替える給水栓に特許文献１のものがある。
【０００３】
この特許文献１について簡単に説明すると、給水栓本体には、吐止水機能及び切替機能を備えた弁装置が収容されている。そして、給水栓本体に設けられた単一のハンドルを操作することにより、給水栓本体に供給された湯水を、カラン側又はシャワーユニット側の何れかに選択、即ち、流路の切替と吐止水の切替とを行うことができるものである。
【０００４】
【特許文献１】特開平１１−３４３６４７号公報
【発明の開示】
【発明が解決しようとする課題】
【０００５】
前記給水栓は、湯水をカラン側から吐水する場合と、シャワーユニット側から吐水する場合との何れにおいても同一のハンドルで操作するため、使用者はハンドルの操作方向を間違えて操作してしまう場合があり、カラン側から吐水させるつもりでシャワーユニット側から吐水させてしまうと、使用者は湯水を浴びてしまう恐れがあった。
【０００６】
この発明は、このような従来の技術に存在する問題点に着目したものであり、その目的は、給湯器等で予め所望の設定温度に調節された湯を吐水管又はシャワーヘッドから吐水することのできる給水栓において、使用者はハンドルの操作を誤ることがなく、使用者の所望する方向から確実に吐水することができる給水栓を提供するものである。
【課題を解決するための手段】
【０００７】
上記目的を達成するため、本発明では、給水源から供給された水と、給湯器等で予め設定温度に調節された湯とが供給され、水，湯を外部へ吐水する吐水管と、シャワーヘッドとを備えた水栓において、複数個の弁装置が収容された水栓本体と、該水栓本体に設けられ、弁装置と連繋したハンドルとを備えており、前記各弁装置と連繋したそれぞれのハンドルを操作することで、吐水管側での吐止水操作と、シャワーヘッド側での吐止水操作とをそれぞれ行えるようにしたものである。
【発明の効果】
【０００８】
本発明の水栓によると、吐水管側での吐止水操作を行うハンドルと、シャワーヘッド側での吐止水操作を行うハンドルとが別々に設けられているので、水又は湯を使用者が所望する方向から確実に吐水させることができる。また、ハンドルを一方に回転させると給水源からの水が直接吐水され、他方に回転させると予め給湯器等で設定温度に調節された湯を吐水することができ、必要に応じて、水と設定温度に調節された湯とを使い分けることができる。
【０００９】
さらに、水栓本体に収容された複数個の弁装置は、部品を共通化させたので、製造コストを安価にすることができる。
【発明を実施するための最良の形態】
【００１０】
以下、本発明の実施の形態を図に基づいて詳細に説明する。
【実施例】
【００１１】
図１に示すように、水栓１は浴室内に設置されており、該水栓１は後述する弁装置１１が複数個収容された水栓本体２と、該水栓本体２の左右両端に設けられ、各弁装置１１の操作を行うハンドル２８，２８ａと、水又は湯を洗い場側に吐水する吐水管８と、使用者側へ吐水するシャワーヘッド１０とを備えている。
【００１２】
前記水栓本体２は、給水源からの水が供給される水入口３と、給湯器等で予め設定温度に調節された湯が供給される湯入口４とが形成されており、各入口３，４より水及び湯が水栓本体２内へと供給される。また、図２に示すように、水栓本体２内には、水が通過する水流路５，５ａ及び湯が通過する湯流路６，６ａと、該両流路５，５ａ，６，６ａと連通し、吐水管５又はシャワーヘッド１１と連通する吐水流路７，７ａとが形成されている。
【００１３】
水栓本体２内には弁装置１１が複数個（本実施例では２個）収容されており、この弁装置１１が水栓本体２の両端に設けられたハンドル２８，２８ａによってそれぞれ操作されることにより、水栓本体２内に供給された水又は湯の何れかを吐水させる。なお、一方のハンドル２８は吐水管８側の吐止水の操作を、他方のハンドル２８ａはシャワーヘッド１０側の吐止水の操作を行うものである。
【００１４】
前記弁装置１１は、図３に示すように、中空円筒状の外筒１２と、該外筒１２の内部に回転自在に収容される内筒２０とを備えている。前記外筒１２の一端には、内筒２０を軸方向に収容するための開口部１３が開口され、周壁には軸方向の同一軸線上に第１流出口１４と第２流出口１５とが開口され、第１流出口１４は給水源からの水が供給される水流路５，５ａと連通し、第２流出口１５は給湯器等で予め設定温度に調節された湯が供給される湯流路６，６ａと連通している。さらに外筒１２の他端部中央には、前記開口部１３より小径の挿通孔１８が開口している。
【００１５】
前記外筒１２の外周面には両流出口１４，１５の間及び両流出口１４，１５の外側両端の計３箇所に環状溝１６が形成され、各環状溝１６にはシール材１７がそれぞれ装着されている。また、外筒１２の内壁面には両流出口１４，１５の周囲に、軸方向に沿って溝孔１９が形成され、該溝孔１９にはシート部材２５が装着されるものである。
【００１６】
前記シート部材２５は外筒１２の内壁面と内筒２０の外壁面との間を水密的にシールするものであり、ゴム，合成樹脂，その他の弾性体を素材とし、外筒１２の両流出口１４，１５の内壁面に密着され、両流出口１４，１５の孔形状よりやや大きめの第１連通孔２６と第２連通孔２７とが形成されている。
【００１７】
前記内筒２０は外筒１２の内部に回転自在に収容されるものであり、一端には前記外筒１２の挿通孔１８を挿通するスピンドル２１が一体に形成され、外筒１２の開口部１３から挿通孔１８に向けて同軸となるように収容される。また、内筒２０の他端には、供給された水又は湯が吐水流路７，７ａと連通する出口部２２が開口し、周面には一対の開口孔２３，２４が開口され、互いの開口孔２３，２４は周面に間隔を設けて異なる方向に開口している。
【００１８】
前記スピンドル２１，２１の先端にはハンドル２８，２８ａがそれぞれ装着され、該ハンドル２８，２８ａの回転操作により内筒２０は外筒１２の内部を回転し、内筒２０の出口部２２を通過する水又は湯は、何れか一方の開口孔２３，２４から外筒１２の第１出口１４又は第２出口１５の何れかに供給される。
【００１９】
弁装置１１を組立てるには、まず外筒１２の開口部１３から溝孔１９にシート部材２５を挿入して装着する。この場合、シート部材２５は第１連通孔２６と第２連通孔２７とが穿設されており、外筒１２の内周側で第１連通孔２６を第１流出口１４に重ね合わせ、第２連通孔２７を第２流出口１５に重ね合わせ、シート部材２５を各流出口１４，１５の周囲に水密的に密着させる。
【００２０】
次に、外筒１２の開口部１３に内筒２０を挿入し、スピンドル２１を外筒１２の挿通孔１８から突出させる。そして、弁装置１１は挿通孔１８から突出したスピンドル２１を回転させると、内筒２０は回転して一方の開口孔２３，２４が外筒１２の第１流出口１４又は第２流出口１５の何れか一方に連通する。これにより、内筒２０の出口部２２から吐水流路７，７ａへ供給される水及び湯のうち、何れか一方のみを吐水するものである。
【００２１】
以上の構成において、例えば、吐水管８側から水又は湯を吐水させるには、水栓本体２の左側に設けられたハンドル２８を上方に回転させると、内筒２０が回転して第２開口孔２４と外筒１２の第２流出口１５とが連通し、給湯器で予め設定温度に調節された湯が湯流路６，出口部２２，吐水流路７を通り、吐水管８から吐水される。また、ハンドル２８を下方に回転させると、内筒２０が回転して第１開口孔２３が外筒１２の第１流出口１４とが連通して、給水源からの水が水流路５，出口部２２，吐水流路７を通り、吐水管８から吐水される。
【００２２】
反対に、シャワーヘッド１０側から水又は湯を吐水する場合には、水栓本体２の右側に設けられたハンドル２８ａを上方に回転させると、内筒２０が回転して第２開口孔２４と外筒１２の第２流出口１５とが連通し、給湯器で予め設定温度に調節された湯が湯流路６ａ，出口部２２，吐水流路７ａを通り、シャワーヘッド１０から吐水される。また、ハンドル２８ａを下方に回転させると、内筒２０が回転して第１開口孔２３が外筒１２の第１流出口１４とが連通して、給水源からの水が水流路５ａ，出口部２２，吐水流路７ａを通り、シャワーヘッド１０から吐水される。なお、吐水管８側，シャワーヘッド１０側の何れから吐水する場合にでも、ハンドル２８，２８ａの回転角度により、外筒１２の流出口１４，１５と内筒２０の開口孔２３，２４とが連通している割合が変化し、吐水される水又は湯の流量を変化させることができる。
【００２３】
本実施例では、吐水管及びシャワーヘッドは水栓本体に接続されているが、浴室内の壁面に収容しても良い。
【図面の簡単な説明】
【００２４】
【図１】本発明の水栓を示す全体斜視図である。
【図２】本発明の水栓の一部断面図である。
【図３】水栓本体に収容される弁装置を示す分解斜視図である。
【符号の説明】
【００２５】
１          ：水栓
２          ：水栓本体
５，５ａ    ：水流路
６，６ａ    ：湯流路
７          ：吐水流路
８          ：吐水管
１０        ：シャワーヘッド
１１        ：弁装置
２８，２８ａ：ハンドル
【図１】
2005133406.tif 000003
【図２】
2005133406.tif 000004
【図３】
2005133406.tif 000005